(57)【要約】【課題】低純度の再生樹脂を繰り返し利用する場合においても、家電機器に適した品質に物性回復して再利用することが可能な方法を提供することを目的とする。【解決手段】ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される樹脂成形体であって、再生樹脂材料に最大の割合で含まれる構成樹脂の種類を表す名称、或いはその略称と、再生樹脂材料に最大の割合で含まれる構成樹脂の重量比率、或いは重量比率に対応した記号を含む再生樹脂情報を表示する。【選択図】図１
2015027745.tif 000002
【特許請求の範囲】
【請求項１】
ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される樹脂成形体であって、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示した樹脂成形体。
【請求項２】
ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される構成部品であって、本体、カタログ、取扱説明書、或いはインターネット上のウエブサイトのいずれかに、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示した構成部品を備える家電機器。
【発明の詳細な説明】
【技術分野】
【０００１】
本発明は、使用済み家電製品に由来した複数種の合成樹脂材が混在する樹脂廃材から、対象とする熱可塑性樹脂を分別・選別した上で、再資源化する熱可塑性樹脂の使いこなし技術に関するものである。
【背景技術】
【０００２】
近年の大量生産、大量消費、大量廃棄型の経済活動が、地球温暖化や資源の枯渇など地球規模での環境問題を引き起こしている。このような状況のなか、循環型社会の構築に向けて、平成１３年４月から家電リサイクル法が施行され、使用済みになったエアコン、テレビ、冷蔵庫・冷凍庫、洗濯機のリサイクルが義務付けられている。
【０００３】
回収された家電製品は、家電リサイクル工場において、破砕後に、磁気、風力、振動等を利用して材料毎に分別回収され、再資源化されている。特に金属材料は、比重選別装置や磁気選別装置を用いることで、鉄、銅、アルミニウムなど材料毎に高純度で回収され、高い再資源化率が実現されている。
【０００４】
一方、合成樹脂材料のうち、手解体選別で分別される部品は、その合成樹脂材料毎に分別され、高純度な再生樹脂として再資源化されている。また、手解体選別以外の部品で破砕された合成樹脂材料のうち軽比重物であるポリプロピレン樹脂も、水を活用した比重選別法により高比重物と分別され、比較的高純度で分別回収され、再資源化されている。
【０００５】
更には、合成樹脂の回収量を増加させるため、近赤外線を活用した新たな材料選別装置により個々に材質を識別し、合成樹脂材料毎に高純度で分別回収する方法も活用され始めている。
【０００６】
このように分別された合成樹脂は、経年変化に伴う対策として酸化防止剤等の各種添加剤を追加添加するなどの処方を施し、所定の品質を確保した上で、通常の合成樹脂と同様に家電機器の合成樹脂成形部品として利用されている。
【０００７】
更には、この時、合成樹脂成形部品において、再度廃家電となって回収された合成樹脂が、より適切な形で繰り返し再利用するこが可能となるように、その方法が特許文献１に提案されている。
【０００８】
具体的には、樹脂成形品に、その樹脂成形品の材質、グレード、色が何であるかを示す記号とともに、その樹脂成形品が次回どのような用途に使用可能であるか、更にはその樹脂成形品の樹脂材料が現在までに何回使用されたかを示す使用記号を表示した材料情報表示を設けることが示されている。
【先行技術文献】
【特許文献】
【０００９】
【特許文献１】特開２００２−２２５０３０号公報
【発明の概要】
【発明が解決しようとする課題】
【００１０】
しかしながら、近年では、合成樹脂の資源循環において、回収量を増加させるため、かつ再利用する合成樹脂の歩留りを高めることでシュレッダーダストとして廃棄する合成樹脂量を低減するために、より低純度の回収分別材料にて物性回復を行った再生樹脂を繰り
返し利用することが求められている。
【００１１】
このような場合、上記従来の構成のように、材料情報表示者が、一方的に、その樹脂成形品が次回どのような用途に使用可能であるかを示したり、その樹脂成形品の樹脂材料が現在までに何回使用されたかを示すだけでは、情報が不十分であり適正に再利用することが不可能になってきている。
【００１２】
本発明は、上記従来の課題を解決するもので、低純度の再生樹脂を繰り返し利用する場合においても、家電機器に適した品質に物性回復して再利用することが可能な方法を提供することを目的とする。
【課題を解決するための手段】
【００１３】
上記従来の課題を解決するために、本発明の樹脂成形体は、ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される樹脂成形体であって、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示したものである。
【００１４】
また、本発明の家電機器は、ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される構成部品であって、本体、カタログ、取扱説明書、或いはインターネット上のウエブサイトのいずれかに、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示した構成部品を備えるものである。
【発明の効果】
【００１５】
本発明の樹脂成形体および家電機器は、回収した樹脂成形品に使用されている再生樹脂の純度が明確に判別できるため、予め純度に応じた分別回数を実施することで、純度に応じた物性回復、及び使用が可能となる。そのため、低純度の再生樹脂を繰り返し利用する場合においても、容易に家電機器に適した品質に物性回復して利用することができる。
【図面の簡単な説明】
【００１６】
【図１】本発明の実施の形態１における再生樹脂情報を開示した樹脂成形体の表示部を示す図
【図２】本発明の実施の形態１における再生樹脂情報を開示した樹脂成形体の表示部を示す図
【図３】本発明の実施の形態１における再生樹脂情報を開示した樹脂成形体の表示部を示す図
【図４】本発明の実施の形態２における再生樹脂情報を記載した取扱説明書を示す図
【発明を実施するための形態】
【００１７】
第１の発明の樹脂成形体は、ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される樹脂成形体であって、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示したものである。
【００１８】
これによって、回収した樹脂成形品に使用されている再生樹脂の純度が明確に判別できるため、純度に応じた使用が可能となる。特に、回収した樹脂成形品に使用されている再生樹脂が低純度の場合は、従来再利用することができなかったり、或いは低品位材料として再利用されていたが、純度に応じて分別回収することで経済的な物性回復が可能となるため、高品位材料として繰り返し再利用する事ができる。
【００１９】
第２の発明の家電機器は、ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形される構成部品であって、本体、カタログ、取扱説明書、或いはインターネット上のウエブサイトのいずれかに、前記再生樹脂材料に最大の割合で含まれる構成樹脂の種類を表す名称、或いはその略称と、前記再生樹脂材料に最大の割合で含まれる構成樹脂の重量比率、或いは重量比率に対応した記号を含む再生樹脂情報を表示した構成部品を備えるものである。
【００２０】
これによって、回収した樹脂成形品に使用されている再生樹脂の純度が明確に判別できるため、純度に応じた使用が可能となる。特に、回収した樹脂成形品に使用されている再生樹脂が低純度の場合は、従来再利用することができなかったり、或いは低品位材料として再利用されていたが、純度に応じて分別回収することで経済的な物性回復が可能となるため、高品位材料として繰り返し再利用する事ができる。
【００２１】
以下、本発明の実施の形態について、図面を参照しながら説明する。なお、この実施の形態によって本発明が限定されるものではない。
【００２２】
（実施の形態１）
図１〜３は、本発明の実施の形態１における再生樹脂情報を開示した樹脂成形体の表示部を示す図である。
【００２３】
本実施の形態の樹脂成形体は、ポリプロピレン樹脂、ポリスチレン樹脂、アクリロニトリル・ブタジエン・スチレン樹脂のうち、少なくともいずれか２種類以上の合成樹脂が、５０％以上９９％未満の重量比率が含有される再生樹脂材料から成形されている。
【００２４】
この比較的低純度の再生樹脂材料から成形した樹脂成形体を、さらに再生することを考慮して樹脂成形体の樹脂材料の再生樹脂情報を表示するものであり、再生樹脂情報として、再生樹脂材料に最大の割合で含まれる構成樹脂の種類を表す名称、或いはその略称と、再生樹脂材料に最大の割合で含まれる構成樹脂の重量比率、或いは重量比率に対応した記号を表示する。
【００２５】
図１において、表示部１は再生樹脂を原料として使用した樹脂成形体（図示せず）の裏面に開示した再生樹脂情報の表示であり、構成樹脂の種類表示記号２と、再生樹脂の含有表示記号３と、再生樹脂中に含まれる当該樹脂の含有比率４を示している。
【００２６】
以上のように構成された樹脂成形体の表示部１の情報により、その樹脂成形体を構成している樹脂の主成分がポリプロピレン樹脂（ＰＰ）であること、前記ポリプロピレン樹脂中には再生樹脂が含有されていること、かつ前記再生樹脂中にはポリプロピレン樹脂（ＰＰ）は重量比率で９５％以上含まれていることが判る。
【００２７】
同様に図２では、表示部１は再生樹脂を原料として使用した樹脂成形体（図示せず）に開示した再生樹脂情報の表示であり、構成樹脂の種類表示記号２と、再生樹脂の含有表示記号３と、再生樹脂の含有率の範囲５と、再生樹脂中に含まれる当該樹脂の含有比率４を
示している。
【００２８】
以上の構成では、その樹脂成形体を構成している樹脂の主成分がポリプロピレン樹脂（ＰＰ）であること、前記ポリプロピレン樹脂中には再生樹脂が含有されていること、かつ前記再生樹脂は前記ポリプロピレン樹脂中に重量比率で５０±１０％含有されていること、かつ前記再生樹脂中のポリプロピレン樹脂（ＰＰ）は重量比率で９５％以上含まれていることが判る。
【００２９】
このように、回収した樹脂成形体が高純度の再生樹脂であれば、次回再生を行う場合においても、純度が高い高品位のポリプロピレン樹脂として再利用することができる。
【００３０】
また、同様に図３では、表示部１は再生樹脂を原料として使用した樹脂成形体（図示せず）に開示した再生樹脂情報の表示であり、構成樹脂の種類表示記号２と、再生樹脂の含有表示記号３と、再生樹脂中に含まれる当該樹脂の含有比率４を示している。
【００３１】
以上の構成では、その樹脂成形体を構成している樹脂の主成分がポリプロピレン樹脂（ＰＰ）であること、前記ポリプロピレン樹脂中には再生樹脂が含有されていること、かつ前記再生樹脂中のポリプロピレン樹脂（ＰＰ）は重量比率で５０％以上含まれていることが判る。
【００３２】
このような場合においては、回収した樹脂成形体が５０％という低純度の再生樹脂から構成されている事が判る。そのため、次回再生を行う場合においては、純度が低い低品位のポリプロピレン樹脂であることを前提に再利用を考える必要がある。
【００３３】
一例としては、そのまま、低品位の再生樹脂として機械物性等、低い要求物性でも適用できる樹脂成形体として再利用する。或いは、相容化剤を添加するなどの物性改質により、物性回復及び物性向上を実施した上で再利用することができる。
【００３４】
なお、この表示部１の表示手段については、樹脂成形体の射出成形時に表示部を成形するよう予め金型に情報を彫りこんでおく、或いは樹脂成形体の成形後にシールを貼り付ける等、特に手段は問わない。しかし、異物の混入を抑制し、繰り返しリサイクルを実施するためには、射出成形時に同時に表示部が形成されることがより望ましい。
【００３５】
また、重量比率に対応した記号の一例としては、９９％以上をＡ、９５％以上９９％未満をＢ、９０％以上９５％未満をＣ等、予め重量比率に対応した記号を定めておき、樹脂成形体の表示部にはその記号のみを表示する事も可能である。
【００３６】
（実施の形態２）
図４は、本発明の実施の形態２における再生樹脂情報を記載した取扱説明書を示す図である。
【００３７】
図４において、取扱説明書には、家電機器の一例として電気掃除機の本体の構成部品である樹脂成形体の再生樹脂情報を記載している。これら部品のうち、再生樹脂を使用している部品には、図４のよう部品Ａ、部品Ｂのような注釈記号を付け、各部品と再生樹脂情報が紐付けできるようにすることができる。
【００３８】
このような方法により、回収した樹脂成形体を構成する樹脂組成物の純度が明確に判断できる。そのため、次回再生を行う場合においても、その純度に応じた使用方法、或いはその純度に応じた物性改質が容易にできるため、経済的に繰り返しリサイクルが可能となる。
【００３９】
本実施の形態では、取扱説明書に再生樹脂情報を表示したが、カタログ、或いはインターネット上のウエブサイトに再生樹脂情報を表示するようにしてもよい。
【産業上の利用可能性】
【００４０】
以上のように、本発明にかかる樹脂成形体および家電機器によれば、回収した樹脂成形品に使用されている再生樹脂の純度が明確に判別できるため、予め純度に応じた分別回数を実施することで、純度に応じた物性回復、及び使用が可能となるため、低純度の再生樹脂を繰り返し利用する場合においても、容易に家電機器に適した品質に物性回復して利用することができるので、廃家電のみならず、一般廃棄物等においても幅広く適用することができる。
【符号の説明】
【００４１】
１  表示部
２  構成樹脂の種類表示記号
３  再生樹脂の含有表示記号
４  再生樹脂中に含まれる樹脂の含有比率
５  再生樹脂の含有率の範囲
【図１】
2015027745.tif 000003
【図２】
2015027745.tif 000004
【図３】
2015027745.tif 000005
【図４】
2015027745.tif 000006